(57)【要約】【課題】手の汚れを含んだ水滴が高圧空気により、手挿入部やタンク等から手乾燥装置の前面外周や周囲の壁に移動して付着することを防止し、また使用者に水滴が跳ねることのない手乾燥装置を提供する。【解決手段】手を出し入れすることのできる開口部４ａを有する手挿入部４を備え、手挿入部４に高圧空気発生装置２による気流を空気噴出ノズル３によって高速空気流として噴出させて、手挿入部４において手に付着した水分を高速空気流により手挿入部４内に吹き飛ばし手を乾燥する手乾燥装置であって、手挿入部４の開口部４ａに横断面が鉤状の水飛散防止板１２が設けられ、水飛散防止板１２の先端部は手挿入部４の内部方向に向かっているものである。【選択図】        図１
2004305447.tif 000002
【特許請求の範囲】
【請求項１】
手を出し入れすることのできる開口部を有する手挿入部を備え、該手挿入部に高圧空気発生装置による気流を空気噴出ノズルによって高速空気流として噴出させて、前記手挿入部において手に付着した水分を高速空気流により前記手挿入部内に吹き飛ばし手を乾燥する手乾燥装置であって、
前記手挿入部の開口部に横断面が鉤状の水飛散防止板が設けられ、該水飛散防止板の先端部は前記手挿入部の内部方向に向かっていることを特徴とする手乾燥装置。
【請求項２】
前記手乾燥装置の本体が前面部を除き大半が壁体に埋め込まれる壁埋設型であることを特徴とする請求項１記載の手乾燥装置。
【請求項３】
前記水飛散防止板は、横断面が曲線状となっていることを特徴とする請求項１又は２記載の手乾燥装置。
【請求項４】
手を出し入れすることのできる開口部を有する手挿入部を備え、該手挿入部に高圧空気発生装置による気流を空気噴出ノズルによって高速空気流として噴出させて、前記手挿入部において手に付着した水分を高速空気流により前記手挿入部内に吹き飛ばし手を乾燥する手乾燥装置であって、
前記手挿入部の底部の開口部側に、先端部が前記手挿入部の内部方向及び外部方向のいずれか一方又は両方に向かう水滴飛散防止板が設けられたことを特徴とする手乾燥装置。
【請求項５】
前記水滴飛散防止板は、縦断面が曲線状になっていることを特徴とする請求項４記載の手乾燥装置。
【請求項６】
前記手挿入部の下方に設けられ手挿入部に生じた水分を回収するタンクを備え、該タンクの前壁の上端部が前記水滴飛散防止板よりも高い位置にあることを特徴とする請求項４又は５記載の手乾燥装置。
【請求項７】
手を出し入れすることのできる開口部を有する手挿入部を備え、該手挿入部に高圧空気発生装置による気流を空気噴出ノズルによって高速空気流として噴出させて、前記手挿入部において手に付着した水分を高速空気流により前記手挿入部内に吹き飛ばし手を乾燥する手乾燥装置であって、
前記手挿入部の下方に設けられ手挿入部に生じた水分を回収するタンクを備え、該タンクの後部に排気口を設けたことを特徴とする手乾燥装置。
【請求項８】
前記手乾燥装置の本体が前面部を除き大半が壁体に埋め込まれる壁埋設型であることを特徴とする請求項７記載の手乾燥装置。
【発明の詳細な説明】
【０００１】
【発明の属する技術分野】
本発明は手乾燥装置に関し、特に洗浄後の濡れた手を衛生的かつ迅速に乾燥させ、使用者や周囲が汚れた水分で汚染されるのを防止する手乾燥装置に関する。
【０００２】
【従来の技術】
従来の手乾燥装置では、洗浄後の濡れた手を衛生的かつ迅速に乾燥させるために、高圧空気流発生装置への空気の吸込み通路を、処理空間（手挿入部）より上部の手前側に構成したものがあった（例えば、特許文献１参照）。
【０００３】
【特許文献１】
特開２００２−１１９４３９号公報（第５頁、図１、第６頁、図２）
【０００４】
【発明が解決しようとする課題】
従来の手乾燥装置では（例えば、特許文献１参照）、手挿入部の開口部が本体前面にあり、空気噴出ノズルから噴出された高圧空気によって、挿入された手の水滴が手挿入部の内壁に付着した後に、さらに高圧空気によって本体の前面外周や周囲の壁に移動して付着する。このため、手乾燥装置の前面外周や周囲の壁が、手の汚れを含んだ水滴で汚れるという問題点があった。また、この汚れた水滴が乾燥することにより、美観を損ねるという問題点もあった。
【０００５】
また、従来の手乾燥装置では（例えば、特許文献１参照）、手挿入部の底面（水受け部）の導水孔から手挿入部の下部のタンクに高圧空気が流れる。このタンクは本体から着脱可能となっているため、タンクに流れ込んだ高圧空気はタンクの前壁と水受け部の隙間から噴出する。この噴出した高圧空気によって、タンクや水受け部の裏面に付着した水滴が押し出され、本体外部に飛び出したり、タンクの前壁の外側や本体の前面外周に付着するという問題点があった。
【０００６】
また、従来の手乾燥装置では（例えば、特許文献１参照）、空気噴出ノズルから噴出された高圧空気によって、手挿入部に挿入された手の水滴が跳ねて使用者に当たり不快感を与え、不衛生になるという問題点があった。
【０００７】
本発明は、手の汚れを含んだ水滴が高圧空気により、手挿入部やタンク等から手乾燥装置の前面外周や周囲の壁に移動して付着することを防止し、また使用者にこの水滴が直接跳ねることのない手乾燥装置を提供することを目的とする。
【０００８】
【課題を解決するための手段】
本発明に係る手乾燥装置は、手を出し入れすることのできる開口部を有する手挿入部を備え、該手挿入部に高圧空気発生装置による気流をエアーノズルによって高速空気流として噴出させて、手挿入部において手に付着した水分を高速空気流により手挿入部内に吹き飛ばし手を乾燥するものであって、手挿入部の開口部に断面が鉤状の水飛散防止板が設けられ、該水飛散防止板の先端部は手挿入部の内部方向に向かっているものである。
【０００９】
【発明の実施の形態】
実施形態１．
図１は本発明の実施形態１に係る手乾燥装置の斜視図であり、図２は図１に示す手乾燥装置の側面図である。なお、本発明の実施形態１に係る手乾燥装置は、前面外周１ａより後ろの本体箱体１の大半が壁体Ｗに埋め込まれる壁埋設型のものである（図２参照）。本体箱体１の上部の内部には、高圧空気を発生させる高圧空気発生装置２が備えられており、横に細長い空気噴出ノズル３（エアーノズル）から高速空気流を噴出するようになっている。また本体箱体１の下部には、本体箱体１の前面側に開口部４ａを有する手挿入部４が備えられている。手挿入部４の底部は水受け部５になっており、手に付着した水滴が高速空気流により手挿入部４内に吹き飛ばされた際に、水滴を集め導水孔５から手挿入部４の下部にあるタンク７に落ちるようになっている。なおタンク７は、タンク前壁７ａを持って本体箱体１から取り外し可能なように構成されている。
【００１０】
手挿入部４に手を挿入すると、センサ（図示せず）が反応して高圧空気発生装置２が運転を開始する。高圧空気発生装置２が運転を開始すると、空気噴出ノズル３の左右に設けられた空気吸込口８から空気が吸込まれ、本体箱体１内部の上部前面側の空気吸込み経路９を通り、高圧空気発生装置２によって高圧空気にされ、更に空気噴出ノズル３により絞られて高速空気流となって手挿入部４に噴出される（図２の矢印参照）。この際吸込まれた空気は、空気吸込み経路９の途中に設けられた水よけ部材１０に当たり水分を除去され、またエアフィルタ１１により濾過される。水よけ部材１０はエアフィルタ１１と一体となっており、これらは取り外し可能なように構成されている。
【００１１】
図３は、手挿入部４の横断面を示した図である。手挿入部４の開口部４ａの側面側には、横断面が鉤状の水飛散防止板１２が設けられており、この水飛散防止板１２の先端部は手挿入部４の内部方向に向かっている。水飛散防止板１２は、図１に示すように手挿入部４の開口部４ａの側面側に、ある程度の長さを持って設けられている。なお、図１では水飛散防止板１２が開口部４ａの縦方向のすべてに亘って設けられていないが、隙間のないように開口部４ａの縦方向のすべてに亘って設けてもよい。また図３では、水飛散防止板１２が開口部４ａの最も手前に設けられているが、開口部４ａの付近であれば手挿入部４の側面の少し奥に設けてもよい。
【００１２】
図３の矢印に示すように、空気噴出ノズル３から高速空気流が噴出されると、手挿入部４に挿入された手や水受け部４に当たった高速空気流が、手挿入部４の内部方向もしくは側面方向に流れて反射され、手挿入部４の側面に沿って使用者の方向へ風が流れる。
しかし、水飛散防止板１２が設けられていることにより、手挿入部４の側面に沿って使用者の方へ流れた風は手挿入部４の内部方向へ向きが変わり、手から吹き飛ばされた水滴が使用者の方へ跳ねることがなく、また風が当たり不快感を感じることもない。
【００１３】
また、手挿入部４の側面には手から吹き飛ばされた水滴が付着しており、図３の矢印に示すような風の流れにより、開口部４ａ側に押し出される。しかし、水飛散防止板１２によりこの水滴がせき止められ水受け部５に落ちるため、前面外周１ａに達することがない。
【００１４】
本実施形態１の手乾燥装置では、水飛散防止板１２により風の向きが変えられ、手挿入部４の側面に付着した水滴がせき止められるため、使用者に水滴が跳ねることがなく、また前面外周１ａや周囲の壁が水滴で汚れることがない。
【００１５】
実施形態２．
図４は、本発明の実施形態２に係る手乾燥装置の手挿入部４の横断面を示した図である。本実施形態２では、実施形態１の水飛散防止板１２の代わりに、横断面が曲線状になっている水飛散防止板１２ａが設けられている。その他の部分については、実施形態１と同様である。なお、本実施形態２と実施形態１は壁埋設型の手乾燥装置についてのものであるが、手挿入部４の側面側が開口していないものであれば、壁掛け型や床置き型の手乾燥装置にも適用できる。
【００１６】
本実施形態２によれば、水飛散防止板１２ａの横断面を曲線状にすることにより実施形態１と同様の効果が得られる他に、水飛散防止板１２ａに溜まった水滴を布等で容易に拭き取ることができ、清掃が容易となる。また、風の流れを滑らかにする効果も得られる。
【００１７】
実施形態３．
図５は、本発明の実施形態３に係る手乾燥装置の手挿入部４の下部、水受け部５及びタンク７の縦断面図である。本実施形態２では、手挿入部４の底部の水受け部５に、手挿入部４の内部方向と外部方向に向かう水滴飛散防止板１３が開口部４ａ側に設けられている。なお、水滴飛散防止板１３は、タンク前壁７ａの後方の全体に亘って設けてもよいし、図６に示すように左右の端だけに設けてもよいまた、タンク前壁７ａの上端部は水滴飛散防止板１３より高い位置になっている。その他の部分については実施形態１と同様であるが、水飛散防止板１２は設けても設けなくてもよい。なお、図６はタンク７を取り外し水滴飛散防止板１３が見える状態になったものである。
【００１８】
本実施形態３では、空気噴出ノズル３から高速空気流が噴出されると、図５の矢印に示すように水受け部５に沿って開口部４ａ方向に吹く風と、導水孔６を通過してタンク７の内部を吹く風ができる。このとき、水受け部５の表面に付着した水滴が、水受け部５に沿って吹く風によって開口部４ａ方向に吹き飛ばされても水滴飛散防止板１３があることにより、開口部４ａから跳ねて使用者に当たることがない。また、水受け部５の裏面等に付着した水滴が、タンク７の内部に吹く風によって吹き飛ばされても、水受け部５とタンク前壁７ａの隙間１５が塞がれているため、水滴が使用者に跳ねたりタンク前壁７ａの前面に移動してタンク前壁７ａや前面外周１ａを汚すことがない。
【００１９】
また、タンク前壁７ａの上端部が水滴飛散防止板１３よりも高い位置にあるため、使用者が水滴飛散防止板１３を容易に視認することができないため、デザイン性にすぐれている。なお、水滴飛散防止板１３は手挿入部４の内部方向及び外部方向のいずれか一方に設けてもよい（図７参照）。
【００２０】
実施形態４．
図７は、本発明の実施形態４に係る手乾燥装置の手挿入部４の下部、水受け部５及びタンク７の縦断面図である。本実施形態４では、実施形態３の水滴飛散防止装置１３の代わりに、縦断面が曲線状になっている水滴飛散防止板１３ａが設けられており、その先端部は手挿入部４の内部方向を向いている。なお、タンク前壁７ａは水滴飛散防止板１３ａより高くなっていない。
【００２１】
本実施形態４では、水滴飛散防止板１３ａの縦断面を曲線状にすることにより、実施形態３と同様の効果（デザイン性を除く）が得られる他に、水滴飛散防止板１３ａに溜まった水滴を布等で容易に拭き取ることができ、清掃が容易となる。また、風の流れを滑らかにする効果も得られる。
【００２２】
実施形態５．
図８は、本発明の実施形態５に係る手乾燥装置の手挿入部４の下部、水受け部５及びタンク７の縦断面図である。本実施形態５では、タンク７の後部に排気口１６が設けられている。また、水飛散防止板１３ｂは手挿入部４の内部方向に向かうもののみが設けられている。その他の部分については、図５の実施形態３と同様である。なお、本実施形態５は壁埋設型の手乾燥装置についてのものであるが、壁掛け型や床置き型の手乾燥装置にも適用できる。
【００２３】
本実施形態５では、タンク７の後部に排気口１６を設けたことにより、空気噴出ノズル３から高速空気流が噴出されたときに、導水孔６を通過してタンク７の内部を吹く風が排気口１６から排出されるため、開口部４ａ側に吹く風が弱まる。そのため、水滴が使用者に跳ねたりタンク前壁７ａの前面に移動してタンク前壁７ａや前面外周１ａを汚すことがなく、また水滴飛散防止板１３ｂの手挿入部４の外部方向に向かうものを設ける必要がない。
【００２４】
【発明の効果】
以上のように本発明によれば、水飛散防止板が設けられていることにより、手挿入部の側面に沿って使用者の方へ流れた風は手挿入部の内部方向へ向きが変わり、手から吹き飛ばされた水滴が使用者の方へ跳ねることがなく、また風が当たり不快感を感じることもない。また、手挿入部の側面に付着した水滴が押し出されて前面外周に達することもない。
【図面の簡単な説明】
【図１】本発明の実施形態１に係る手乾燥装置の斜視図である。
【図２】本発明の実施形態１に係る手乾燥装置の側面図である。
【図３】本発明の実施形態１に係る手乾燥装置の手挿入部の横断面図である。
【図４】本発明の実施形態２に係る手乾燥装置の手挿入部の横断面図である。
【図５】本発明の実施形態３に係る手乾燥装置の手挿入部の下部、水受け部及びタンクの部分の縦断面図である。
【図６】本発明の実施形態３に係る手乾燥装置の一例を示す斜視図である。
【図７】本発明の実施形態４に係る手乾燥装置の手挿入部の下部、水受け部及びタンクの部分の縦断面図である。
【図８】本発明の実施形態５に係る手乾燥装置の手挿入部の下部、水受け部及びタンクの部分の縦断面図である。
【符号の説明】
１  本体箱体、１ａ  前面外周、２  高圧空気発生装置、３  空気噴出ノズル、４  手挿入部、４ａ  開口部、５  水受け部、６  導水孔、７  タンク、７ａタンク前壁、８  空気吸込み口、９  空気吸込み通路、１０  水よけ部材、１１  エアフィルタ、１２  水飛散防止板、１３  水滴飛散防止板、１５  隙間、１６  排気口。
【図１】
2004305447.tif 000003
【図２】
2004305447.tif 000004
【図３】
2004305447.tif 000005
【図４】
2004305447.tif 000006
【図５】
2004305447.tif 000007
【図６】
2004305447.tif 000008
【図７】
2004305447.tif 000009
【図８】
2004305447.tif 000010